(57)【要約】【課題】管内部材から脱落した異物がコンバーゼンスカップの電子ビーム通過孔を通して他の電極に付着して耐電圧特性の劣化や電極間タッチを発生していたが、これを本来の電子ビームの偏向動作に影響を与えずに簡単な構成にて確実に防止するようにしたカラー受像管を提供する。【解決手段】ネック１７内に配設された電子銃１９が、カソードＫから蛍光体スクリーン１３方向に配置された複数個のグリッドＧ１〜Ｇ６を有し、且つ電子ビーム１８Ｂ，１８Ｇ，１８Ｒ放出端グリッドＧ６の蛍光体スクリーン１３側端部に有底筒状のコンバーゼンスカップＣを、その底部２５が電子ビーム１８Ｂ，１８Ｇ，１８Ｒ放出端グリッドＧ６側として取付け、このコンバーゼンスカップＣの電子ビーム通過孔３２を、その底部２５に穿設した開口部３３と、この開口部３３の周縁を蛍光体スクリーン１３側に突出させるとともに、蛍光体スクリーン１３側開口径Ａを底部２５側開口径Ｂよりも大きく形成した突出部３４から形成する。【選択図】　図１
2004063257.tif 000002
【特許請求の範囲】
【請求項１】
ネック内に電子銃が配設され、この電子銃がカソードから蛍光体スクリーン方向に配置された複数個のグリッドを有し、且つ電子ビーム放出端グリッドの蛍光体スクリーン側端部にコンバーゼンスカップが電子ビーム通過孔を設けた底部を上記電子ビーム放出端グリッド側として取付けられてなるカラー受像管において、
上記電子ビーム通過孔が、上記コンバーゼンスカップの底部に穿設された開口部と、この開口部の周縁部を上記蛍光体スクリーン側に起立させるとともにその蛍光体スクリーン側開口径を上記開口部径よりも大きく設定した突出部から構成されていることを特徴とするカラー受像管。
【請求項２】
上記突出部先端を外方向に湾曲させたことを特徴とする請求項１記載のカラー受像管。
【請求項３】
上記突出部を上記蛍光体スクリーン側に拡大する漏斗状に形成させたことを特徴とする請求項１記載のカラー受像管。
【発明の詳細な説明】
【０００１】
【発明の属する技術分野】
本発明は、カラー受像管に係り、特に電子銃のコンバーゼンスカップの形状を改良したカラー受像管に関する。
【０００２】
【従来の技術】
一般にカラー受像管は、図５に示すように、略矩形状のフェースパネル５１及びこのフェースパネル５１に連接される漏斗状のファンネル５２からなる外囲器を有し、そのフェースパネル５１の内面に蛍光体スクリーン５３が設けられ、この蛍光体スクリーン５３の内側にシャドウマスク５４が配置されている。一方、ファンネル５２のネック５５内には電子銃５６が配設され、またファンネル５２の内側にはインナーシールド５７が配設されるとともに、ファンネル５２内面には導電膜５８が形成される等、外囲器内に各種管内部材が配置されている。更に、ファンネル５２の外周には、電子銃５６から放出される電子ビーム５９を水平及び垂直に走査するための偏向ヨーク６０が装着されている。
【０００３】
このネック５５内に配置される電子銃５６は、図６に示すように、３個のカソードＫ（１個のみ図示）、このカソードＫから順次蛍光体スクリーン５３方向に配置された第１乃至第６グリッドＧ１〜Ｇ６を有し、その電子ビーム５９放出端側の第６グリッドＧ６の蛍光体スクリーン５３側端部に有底筒状のコンバーゼンスカップＣが取付けられている。この電子銃５６では、第１、第２グリッドＧ１，Ｇ２は板状電極、第３乃至第６グリッドＧ３〜Ｇ６は筒状電極からなり、これら第１乃至第６グリッドＧ１〜Ｇ６及びコンバーゼンスカップＣの底部には、カソードＫに対応して３個の電子ビーム通過孔（図示せず）が形成されている。
【０００４】
ところで、一般にカラー受像管の製造工程では、ネック５５を下側にしてカラー受像管を支持、搬送する場合が多い。このようにネック５５を下側にして支持、搬送すると、ファンネル５２が漏斗状をなし、かつコンバーゼンスカップＣは、蛍光体スクリーン５３側端部の開口面積がネック５５内側の横断面積の大部分を占めるため、製造工程中に加わる振動や衝撃等により管内部材から脱落した異物がコンバーゼンスカップＣ内に落下し易い。
【０００５】
このようなコンバーゼンスカップＣは、図７ａ及びｂに示すように、有底筒状に成形されており、この筒体６１の平坦な底部６２に３個の電子ビーム通過孔６３が穿設されており、この電子ビーム通過孔６３の底部６２内面側（蛍光体スクリーン５３側）の開口部分が底部６２内面と同一面上に位置している。しかも一般に第１乃至第６グリッドＧ１〜Ｇ６の各電子ビーム通過孔は、カソードＫ側の電極では相対的に小さく、蛍光体スクリーン５３側の電極では相対的に大きく形成されているため、コンバーゼンスカップＣ内に落下した異物は、コンバーゼンスカップＣの底部６２に付着し、この付着した異物がカラー受像管が受ける振動や衝撃等によってコンバーゼンスカップＣの底部６２に穿設された電子ビーム通過孔６３を通って、カソードＫ側に位置する電極に移動し、各電極の電子ビーム通過孔の大きさに応じて電極に付着し、耐電圧特性を劣化させる。またこのように異物が付着すると、特にカソードＫに近い電極は電極間隔が狭いため、電極間タッチの原因ともなっている。
【０００６】
また、コンバーゼンスカップを精度よく電子銃として組立てるために、コンバーゼンスカップ底面の電子ビーム通過孔の周囲に位置決め用の複数個の突起を設けたものが、実開昭５０−３０６５８号公報に開示されている。
【０００７】
この突起はコンバーゼンスカップの正確な位置決めを行うためのものであって、電子ビーム通過孔への異物の侵入を防止する作用は殆どなく、また図示されているコンバーゼンスカップ底面に穿設された電子ビーム通過孔の形状も、蛍光体スクリーン側の開口径がカソード側の開口径よりも小さくなるように内側に傾斜して設けられている。このように相対的に電子ビーム通過孔の開口径を小さくすると、カソードから放出された電子ビームが偏向ヨークによって水平、垂直走査されるときに、この電子ビーム通過孔の径小部分に射突してしまい、このためフォーカスがぼけたりグロー放電が発生する等の問題が発生し、更に内方向に傾斜しているので、異物が突起を乗り越えて電子ビーム通過孔中に脱落し易い等の問題もある。
【０００８】
更に、コンバーゼンスカップの両側に位置する電子ビーム通過孔外周囲に偏向磁界補正用の磁性体を配置したものが、実開昭５２−１５１６６号公報に開示されている。この磁性体を保持するために、両側の電子ビーム通過孔の周囲に突縁部を形成し、この突縁部に磁性体を嵌合させて両者を固定化させている。
【０００９】
しかしながら、このような突縁部では、その両端開口径が略同じであって、しかもその管軸方向の高さが極めて低く抑えられており、異物の侵入を確実に予防することが難しく、特に中央の電子ビーム通過孔には、このような突縁部や磁性体が配置されていないので、中央の電子ビーム通過孔から侵入する異物に対しては何等の対策も講じられていない。このためにコンバーゼンスカップの電子ビーム通過孔を通して侵入する異物を確実に防止することができず、電子銃の耐電圧特性を改善することができない。
【００１０】
このようなコンバーゼンスカップの電子ビーム通過孔を通して侵入する異物を有効に防止する対策を施したものが、特開平９−２３７５８９号公報に開示されている。
【００１１】
このための構成は、コンバーゼンスカップの底面に穿設された電子ビーム通過孔の周縁に、蛍光体スクリーン側に突出する側壁もしくは有底筒状の突起部分を形成し、この突起部分底面に開口を穿設することによって、側壁もしくは突起部分によって異物の侵入を防止しようとするものである。
【００１２】
しかしながら、このような構成においては、異物の侵入を防止するためには、側壁もしくは突起部分を管軸方向に長く形成する必要があり、このため反対に電子ビーム通過孔を通る電子ビームを偏向させるための偏向磁界を有効に電子ビームに作用させることが難しくなり、この偏向磁界の作用を有効に働かせるには、側壁もしくは突起部分の長さを短くせねばならず、異物の脱落防止と磁界制御の両面で有効に作用させることが難しいものとなっている。
【００１３】
【発明が解決しようとする課題】
上記のように、カラー受像管は、電子銃５６の電子ビーム５９放出端電極の蛍光体スクリーン５３側端部に取付けられたコンバーゼンスカップＣの蛍光体スクリーン５３側端部の開口面積が、ネック５５内側の横断面積の大部分を占め、且つこのコンバーゼンスカップＣの電子ビーム通過孔６３底部６２内面側の開口部分が平坦な底部６２内面と同一面上に位置している。
【００１４】
一方、カラー受像管の製造工程では、ネック５５を下側にして支持、搬送する場合が多く、そのために、製造工程中に加わる振動や衝撃などにより管内部材から脱落した異物がコンバーゼンスカップＣ内に落下し易い。このコンバーゼンスカップＣ内に落下した異物がコンバーゼンスカップＣ底部６２に穿設された電子ビーム通過孔６３を通って、カソードＫ側に位置する電極に移動し、各電極の電子ビーム通過孔の大きさに応じて各電極に付着し、耐電圧特性を劣化させたり、電極間タッチの原因になるという問題がある。
【００１５】
また、異物の脱落・侵入防止とは異なる目的で、電子ビーム通過孔の周囲に突起や突縁部を形成したものもあるが、これらの構成では電子ビーム通過孔に脱落する異物の侵入を確実に防止することができない。
【００１６】
更に、電子ビーム通過孔の周囲に側壁や突起部を形成したものもあるが、この側壁や突起部を管軸方向に長く突設させると、偏向磁界までも遮断してしまうために、有効な偏向走査に支障をきたし、異物侵入と磁界制御の両立を図ることが難しくなるという問題を内在している。
【００１７】
本発明は、このような課題に対処してなされたものであり、電子ビームの偏向動作に与える影響を極力少なくしながら、管内部材から脱落した異物が電子銃の電極に付着することにより生ずる耐電圧特性の劣化や電極間タッチを防止することを目的とする。
【００１８】
【課題を解決するための手段】
ネック内に電子銃が配設され、この電子銃がカソードから蛍光体スクリーン方向に配置された複数個のグリッドを有し、且つ電子ビーム放出端グリッドの蛍光体スクリーン側端部にコンバーゼンスカップが電子ビーム通過孔を設けた底部を電子ビーム放出端グリッド側として取付けられてなるカラー受像管において、電子ビーム通過孔がコンバーゼンスカップの底部に穿設された開口部と、この開口部周縁部を蛍光体スクリーン側に起立させるとともにその蛍光体スクリーン側開口径を開口部径よりも大きく設定した突出部から構成している。
【００１９】
このように構成することによって、コンバーゼンスカップの底部に付着された異物は、カラー受像管が振動や衝撃等を受けたとしても、突出部によって開口部内に脱落するのを防止することができるとともに、蛍光体スクリーン側の突出部開口径を底部に設けた開口部径よりも大きく設定しているために、偏向磁界による電子ビームの制御には殆ど影響を与えないように構成することが可能となる。
【００２０】
【発明の実施の形態】
以下、図面を参照して本発明の実施の形態について説明する。
【００２１】
本発明に係るカラー受像管は、図１に示すように、略矩形状のフェースパネル１１及びこのフェースパネル１１に接合された漏斗状のファンネル１２からなる外囲器を有し、この外囲器内には各種管内部材が配置されている。その主なものして、フェースパネル１１の内面には、青、緑、赤に発光する３色蛍光体層からなる蛍光体スクリーン１３が設けられ、この蛍光体スクリーン１３に対向して、フェースパネル１１の内側にマスクフレーム１４によって保持されたシャドウマスク１５が配置されている。このシャドウマスク１５には、ファンネル１２の径大部内側に位置して地磁気を遮蔽するインナーシールド１６が取付けられている。一方、ファンネル１２のネック１７内には、一列配置の３電子ビーム１８Ｇ，１８Ｇ，１８Ｒを放出する、後述するインライン型の電子銃１９が配設されている。またファンネル１２の径大部内面からネック１７の隣接部内面にかけて、導電膜２０が塗布形成されている。
【００２２】
上記電子銃１９は、図２に示すように、３個のカソードＫ（１個のみ図示）、このカソードＫから順次蛍光体スクリーン１３方向に配置された第１乃至第６グリッドＧ１〜Ｇ６及びその電子ビーム１８Ｂ，１８Ｇ，１８Ｒ放出端側に位置する第６グリッドＧ６の蛍光体スクリーン１３側端部に取付けられた有底筒状のコンバーゼンスカップＣを有し、そのカソードＫ及び第１乃至第６グリッドＧ１〜Ｇ６が一対の絶縁支持体２１（図１参照）によって一体に固定されている。
【００２３】
この第１及び第２グリッドＧ１，Ｇ２は一体構造の板状電極で、また第３乃至第６グリッドＧ３〜Ｇ６は一体構造の筒状電極からなり、例えば、ヒータ（図示せず）には３〜７Ｖ、カソードＫに５０〜２００Ｖ、第１グリッドＧ１に−５０〜０Ｖ、第２グリッドＧ２に３００〜１０００Ｖ、第３グリッドＧ３には第６グリッドＧ６に印加される１０〜３５ｋＶの１６〜３２％程度の電圧が夫々印加されている。そして、第４グリッドＧ４は第２グリッドＧ２と、また第５グリッドＧ５は第３グリッドＧ３と夫々管内で接続されて同電圧に保持されている。
【００２４】
これらのヒータ及びカソードＫ並びに第１乃至第５グリッドＧ１〜Ｇ５の各電極は、ネック１７のステム２２に植設された端子ピン２３と接続されている。また第６グリッドＧ６は、ファンネル１２内の導電膜２０と接触するコンバーゼンスカップＣに取着された弾性導電体（図示せず）及びコンバーゼンスカップＣを介してアノード電圧が供給されている。
【００２５】
これら各グリッドＧ１〜Ｇ６及びコンバーゼンスカップＣの第６グリッドＧ６側に位置する筒体２４底部２５には、夫々３個のカソードＫに対応して、一列配置の３個の電子ビーム通過孔２６〜３２が形成されている。この各グリッドＧ１〜Ｇ６、コンバーゼンスカップＣの電子ビーム通過孔２６〜３２は、概してカソードＫ側に位置する電極では相対的に小さく、蛍光体スクリーン１３側に位置する電極で相対的に大きくなっている。
【００２６】
しかもこのカラー受像管においては、図３ａ，ｂに示すように、上記コンバーゼンスカップＣの筒体２４底部２５に設けた３個の電子ビーム通過孔３２は、夫々コンバーゼンスカップＣの底部２５に穿設した開口部３３と、この開口部３３の周縁部分を蛍光体スクリーン１３方向に起立させた突出部２３から構成され、更に、この蛍光体スクリーン１３側端部の突出部３４開口径Ａを、底部２５に設けた開口部径Ｂよりも大きくなるように、蛍光体スクリーン１３側に、例えば外方向に湾曲させてカール状に突出して設けられている。
【００２７】
このようなコンバーゼンスカップＣは、通常のプレス打抜き、絞り加工等で、単一の成形部品として成形することができる。
【００２８】
このようにコンバーゼンスカップＣを構成すると、管内部材から異物が脱落して、コンバーゼンスカップＣ内に落下しても、この落下した異物が他の電極に付着しないようにすることができる。
【００２９】
即ち、コンバーゼンスカップＣは、蛍光体スクリーン１３側端部の開口面積がネック１７内側の横断面積の大部分を占めるため、ネック１７を下側にしてカラー受像管を支持すると、脱落した異物はコンバーゼンスカップＣ内に落下し易いが、電子ビーム通過孔３２がコンバーゼンスカップＣの底部２５から蛍光体スクリーン１３方向に起立した突出部３４を有し、しかも蛍光体スクリーン１３側端部の開口径Ａが底部２５に形成した開口部３３内径Ｂよりも大きな径（Ａ＞Ｂ）となるカール状に成形されている。
【００３０】
このために、例え異物がコンバーゼンスカップＣ内に落下してコンバーゼンスカップＣ底部２５に付着し、この異物がカラー受像管の受ける振動や衝撃等によってコンバーゼンスカップＣ底部２５内を移動して電子ビーム通過孔３２に接近したとしても、電子ビーム通過孔３２はコンバーゼンスカップＣ底部２５よりも突出して形成された突出部３４によって電子ビーム通過孔３２内への侵入を防ぐことができる。しかも突出部３４の先端を外方向にカール状に成形しているので、異物がこのカール状部分によって突出部３４を乗り越えることを一層困難なものにしている。
【００３１】
従って、異物が電子ビーム通過孔３２を通ってカソードＫ側に移動することによって生じる他の電極に付着する事態を防止することができ、その結果生ずる耐電圧特性の劣化や電極間タッチを回避することができる。
【００３２】
更に、突出部３４の先端部分をカール状に外方向に拡大させているために、ファンネル１２の外側に装着された偏向ヨーク３５の偏向磁界によって偏向される電子ビーム１８Ｂ，１８Ｇ，１８Ｒが、この突出部３４に射突するような不測の事態の発生もなく、偏向動作には何等の影響も与えることがない。換言すれば、偏向磁界に対する影響が殆どないことから、その分だけ突出部３４を管軸方向により長く突出させることも可能なことを意味しており、より長く管軸方向に突出させれば、一層の異物侵入防止効果を発揮させることが可能となる。
【００３３】
なお、このコンバーゼンスカップＣは、図４ａ，ｂに示すように、コンバーゼンスカップＣの底部２５に設けた３個の突出部３４を、その内径が順次大きくなるように蛍光体スクリーン１３方向に突出させた漏斗状に形成することも可能である。
【００３４】
このようにコンバーゼンスカップＣを構成しても、コンバーゼンスカップＣ内に落下した異物を電子ビーム通過孔３２を通ってカソードＫ側に移動させないようにすることができ、上記コンバーゼンスカップＣと同様の効果を持たせることができるとともに、カール状に成形するよりもより簡単な治具にて突出部３４を成形することができる効果を有する。
【００３５】
なお、上記実施の形態では、一列配置の３電子ビームを放出するインライン型のカラー受像管について説明したが、本発明はデルタ配列の３電子ビームを放出するカラー受像管にも適用でき、またその他の形態のカラー陰極線管にも適用が可能で、電子銃の構成もこの形態に限定されないことは言うまでもない。
【００３６】
【発明の効果】
本発明によれば、電子銃の電子ビーム放出端グリッドの蛍光体スクリーン側端部に取付けられるコンバーゼンスカップにおいて、底部に穿設された開口部と、この開口部の周縁部を蛍光体スクリーン側に突出させ、更にこの蛍光体スクリーン側の開口径を底部開口部の開口径よりも大きく形成した突出部によって電子ビーム通過孔を形成することによって、コンバーゼンスカップ内に異物が落下しても、この異物を電子ビーム通過孔内に脱落することを容易且つ確実に防止することができ、従って、この異物が電子ビーム通過孔を通ってカソード側に移動し、他の電極に付着しないようにすることが可能となるので、耐電圧特性の劣化や電極間タッチを防止することができる。また、突出部の蛍光体スクリーン側開口径を底部開口部の開口径よりも大きく形成しているので、電子ビームの偏向動作にも支障を与えることがなく、商品価値の優れたカラー受像管を提供することができる。
【図面の簡単な説明】
【図１】本発明に係るカラー受像管の構成を示す断面図。
【図２】同じくその電子銃の構成を示す説明図。
【図３】同じく電子銃のコンバーゼンスカップの構成を示す平面及びＸ軸断面図。
【図４】同じく異なるコンバーゼンスカップの構成を示す平面及びＹ軸断面図。
【図５】従来のカラー受像管を示す断面図。
【図６】同じくその電子銃の構成を示す説明図。
【図７】同じく電子銃のコンバーゼンスカップの構成を示す平面及びＸ軸断面図。
【符号の説明】
１１：フェースパネル
１２：ファンネル
１３：蛍光体スクリーン
１７：ネック
１８Ｂ，１８Ｇ，１８Ｒ：電子ビーム
１９：電子銃
２４：筒体
２５：底部
３２：電子ビーム通過孔
３３：開口部
３４：突出部
Ｃ…コンバーゼンスカップ
Ｇ１…第１グリッド
Ｇ２…第２グリッド
Ｇ３…第３グリッド
Ｇ４…第４グリッド
Ｇ５…第５グリッド
Ｇ６…第６グリッド
【図１】
2004063257.tif 000003
【図２】
2004063257.tif 000004
【図３】
2004063257.tif 000005
【図４】
2004063257.tif 000006
【図５】
2004063257.tif 000007
【図６】
2004063257.tif 000008
【図７】
2004063257.tif 000009